【手続補正書】
【提出日】平成19年6月20日(2007.6.20)
【手続補正１】
【補正対象書類名】特許請求の範囲
【補正対象項目名】全文
【補正方法】変更
【補正の内容】
【特許請求の範囲】
【請求項１】
複数の異なる周波数帯域の電波を送受信するためのアンテナ共用器であって、第１の周波数帯域の信号の通過を阻止する第１トラップ回路が、第１端子(24)とアンテナ接続端子(21)との間に配備されると共に、前記第１の周波数帯域とは異なる第２の周波数帯域の信号の通過を阻止する第２トラップ回路が、第２端子(23)と前記アンテナ接続端子(21)との間に配備され、前記第１端子(24)には、前記第２の周波数帯域及びこれに隣接する第３の周波数帯域の信号の送受信を行なうための第２送受信回路(４)が接続されると共に、第２端子(23)には、前記第１の周波数帯域の信号の送受信を行なうための第１送受信回路(３)が接続されているアンテナ共用器において、
前記第１送受信回路(３)は、前記第１の周波数帯域の受信信号が通過すべき受信ライン(30a)と、前記第１の周波数帯域の送信信号が通過すべき送信ライン(30b)とを有し、前記受信ライン(30a)には、前記第１の周波数帯域の送信信号の波長の４分の１の長さに相当するマイクロストリップライン(36)が直列に介在し、該マイクロストリップライン(36)から受信ライン(30a)の終端の受信側信号端子(33)へ至る接続線路に第１ダイオードスイッチ(37)の一端が接続されると共に、他端が接地され、前記送信ライン(30b)には、第２ダイオードスイッチ(38)が直列に介在し、該第２ダイオードスイッチ(38)と前記第２端子(23)との間には、前記第３の周波数帯域の信号の通過を阻止する第３トラップ回路(5a)が介在し、該第３トラップ回路(5a)はインダクタとコンデンサから構成され、該インダクタとコンデンサの内、何れか一方の受動素子が、前記第２ダイオードスイッチ(38)と前記第２端子(23)との間に介在し、該一方の受動素子と第２ダイオードスイッチ(38)との間の接続線路に他方の受動素子の一端が接続されると共に、他端が接地されていることを特徴とするアンテナ共用器。
【請求項２】
複数の異なる周波数帯域の電波を送受信するためのアンテナ共用器であって、第１の周波数帯域の信号の通過を阻止する第１トラップ回路が、第１端子(24)とアンテナ接続端子(21)との間に配備されると共に、前記第１の周波数帯域とは異なる第２の周波数帯域の信号の通過を阻止する第２トラップ回路が、第２端子(23)と前記アンテナ接続端子(21)との間に配備され、前記第１端子(24)には、前記第２の周波数帯域及びこれに隣接する第３の周波数帯域の信号の送受信を行なうための第２送受信回路(４)が接続されると共に、第２端子(23)には、前記第１の周波数帯域の信号の送受信を行なうための第１送受信回路(３)が接続されているアンテナ共用器において、
前記第１送受信回路(３)は、前記第１の周波数帯域の受信信号が通過すべき受信ライン(30a)と、前記第１の周波数帯域の送信信号が通過すべき送信ライン(30b)とを有し、前記送信ライン(30b)には、第２ダイオードスイッチ(38)が直列に介在する一方、前記受信ライン(30a)には、前記第１の周波数帯域の送信信号の波長の４分の１の長さに相当するマイクロストリップライン(36)が直列に介在すると共に、該マイクロストリップライン(36)と受信ライン(30a)の終端の受信側信号端子(33)との間には、前記第３の周波数帯域の信号の通過を阻止する第３トラップ回路(5b)が介在し、該第３トラップ回路(5b)はインダクタとコンデンサを互いに並列接続して構成され、該第３トラップ回路(5b)とマイクロストリップライン(36)の間の接続線路に第１ダイオードスイッチ(37)の一端が接続される一方、他端が接地されていることを特徴とするアンテナ共用器。
【請求項３】
複数の異なる周波数帯域の電波を送受信するためのアンテナ共用器であって、第１の周波数帯域の信号の通過を阻止する第１トラップ回路が、第１端子(24)とアンテナ接続端子(21)との間に配備されると共に、前記第１の周波数帯域とは異なる第２の周波数帯域の信号の通過を阻止する第２トラップ回路が、第２端子(23)と前記アンテナ接続端子(21)との間に配備され、前記第１端子(24)には、前記第２の周波数帯域及びこれに隣接する第３の周波数帯域の信号の送受信を行なうための第２送受信回路(４)が接続されると共に、第２端子(23)には、前記第１の周波数帯域の信号の送受信を行なうための第１送受信回路(３)が接続されているアンテナ共用器において、
前記第１送受信回路(３)は、前記第１の周波数帯域の受信信号が通過すべき受信ライン(30a)と、前記第１の周波数帯域の送信信号が通過すべき送信ライン(30b)とを有し、前記送信ライン(30b)には、第２ダイオードスイッチ(38)が直列に介在する一方、前記受信ライン(30a)には、前記第１の周波数帯域の送信信号の波長の４分の１の長さに相当するマイクロストリップライン(36)が直列に介在すると共に、該マイクロストリップライン(36)から受信ライン(30a)の終端の受信側信号端子(33)へ至る接続線路には、前記第３の周波数帯域の信号の通過を阻止する第３トラップ回路(5c)が接続され、該第３トラップ回路(5c)はインダクタとコンデンサを互いに直列に接続して構成され、該第３トラップ回路(5c)の一端が前記マイクロストリップライン(36)から受信ライン(30a)の終端の受信側信号端子(33)へ至る接続線路に接続される一方、他端が接地されており、該第３トラップ回路(5c)とマイクロストリップライン(36)の間の接続線路に第１ダイオードスイッチ(37)の一端が接続される一方、他端が接地されていることを特徴とするアンテナ共用器。
【請求項４】
複数の異なる周波数帯域の電波を送受信するためのアンテナ共用器であって、第１の周波数帯域の信号の通過を阻止する第１トラップ回路が、第１端子(24)とアンテナ接続端子(21)との間に配備されると共に、前記第１の周波数帯域とは異なる第２の周波数帯域の信号の通過を阻止する第２トラップ回路が、第２端子(23)と前記アンテナ接続端子(21)との間に配備され、前記第１端子(24)には、前記第２の周波数帯域及びこれに隣接する第３の周波数帯域の信号の送受信を行なうための第２送受信回路(４)が接続されると共に、第２端子(23)には、前記第１の周波数帯域の信号の送受信を行なうための第１送受信回路(３)が接続されているアンテナ共用器において、
前記第１送受信回路(３)は、前記第１の周波数帯域の受信信号が通過すべき受信ライン(30a)と、前記第１の周波数帯域の送信信号が通過すべき送信ライン(30b)とを有し、前記受信ライン(30a)には、前記第１の周波数帯域の送信信号の波長の４分の１の長さに相当するマイクロストリップライン(36)が直列に介在し、該マイクロストリップライン(36)から受信ライン(30a)の終端の受信側信号端子(33)へ至る接続線路に第１ダイオードスイッチ(37)の一端が接続される一方、他端が接地され、前記送信ライン(30b)には、第２ダイオードスイッチ(38)が直列に介在し、該第２ダイオードスイッチ(38)と前記第２端子(23)との間には、前記第３の周波数帯域の信号の波長の４分の１の長さに相当するマイクロストリップライン(51)が介在し、該マイクロストリップライン(51)により、前記第３の周波数帯域の信号の通過を阻止する第３トラップ回路(5d)が構成されていることを特徴とするアンテナ共用器。
【請求項５】
積層基板を用いてモジュール化され、前記第３トラップ回路は、前記第１ダイオードスイッチ(37)及び第２ダイオードスイッチ(38)と共に、積層基板の表面に設けられている請求項１乃至請求項４の何れかに記載のアンテナ共用器。
【手続補正２】
【補正対象書類名】明細書
【補正対象項目名】０００３
【補正方法】変更
【補正の内容】
【０００３】
第２送受信回路(４)は、ＤＣＳの送受信を切り換えるための２つのダイオードスイッチ(47)(48)を有するスイッチング回路(41)と、ＤＣＳの送信回路からの不要な高調波を遮断するためのローパスフィルタ回路(42)とからなり、ＤＣＳの受信回路に受信信号を出力するための受信側信号端子(43)と、ＤＣＳの送信回路からの送信信号が入力されるべき送信側信号端子(44)と、前記２つのダイオードスイッチ(47)(48)のオン／オフを制御するための信号が入力されるべき制御端子(45)とを有している。
【手続補正３】
【補正対象書類名】明細書
【補正対象項目名】００１１
【補正方法】変更
【補正の内容】
【００１１】
ところで、近年、携帯電話機においては、１９００ＭＨｚ帯を利用したＰＣＳ(Personal  Communication  Services)や、１９００〜２１７０ＭＨｚ帯を利用したＷ−ＣＤＭＡ(Wideband  Code  Division  Multiple  Access)等の新しい通信規格が提案されており、従来のＤＣＳ及びＧＳＭにこれらの新しい通信規格を加えたトリプルバンドタイプ、或いはクアッドバンドタイプのアンテナ共用器の開発が必要となってきている。
【手続補正４】
【補正対象書類名】明細書
【補正対象項目名】００１４
【補正方法】変更
【補正の内容】
【００１４】
従って、ＧＳＭの受信時、或いはＤＣＳ及びＷ−ＣＤＭＡの送受信時には、第２トラップ回路によってＤＣＳの送受信帯域に周波数を有する信号の第１送受信回路(７)側への通過が阻止されると共に、第３トラップ回路(29)によってＷ−ＣＤＭＡの送受信帯域に周波数を有する信号の第１送受信回路(７)側への通過が阻止されることになる。
上記トリプルバンドタイプのアンテナ共用器(6a)によれば、図２１に示す如く、ＧＳＭの受信時には、ＤＣＳ及びＷ−ＣＤＭＡの送受信信号の周波数に相当する帯域の信号を広域に亘って充分に減衰させることが出来る一方、ＤＣＳ或いはＷ−ＣＤＭＡの受信時に、ＤＣＳ及びＷ−ＣＤＭＡの送受信信号が第１送受信回路(７)側に回り込むことがないので、ＤＣＳ及びＷ−ＣＤＭＡの送受信信号が減衰されることがなく、良好な送受信性能が得られる。
【特許文献１】特開２００２−２４６８０９号公報
【特許文献２】特開２００３−２０９４５４号公報
【手続補正５】
【補正対象書類名】明細書
【補正対象項目名】００１８
【補正方法】変更
【補正の内容】
【００１８】
前記第１送受信回路(３)は、前記第１の周波数帯域の受信信号が通過すべき受信ライン(30a)と、前記第１の周波数帯域の送信信号が通過すべき送信ライン(30b)とを有し、前記受信ライン(30a)には、前記第１の周波数帯域の送信信号の波長の４分の１の長さに相当するマイクロストリップライン(36)が直列に介在し、該マイクロストリップライン(36)から受信ライン(30a)の終端の受信側信号端子(33)へ至る接続線路に第１ダイオードスイッチ(37)の一端が接続されると共に、他端が接地されている。
送信ライン(30b)には、第２ダイオードスイッチ(38)が直列に介在し、該第２ダイオードスイッチ(38)と前記第２端子(23)との間には、前記第３の周波数帯域の信号の通過を阻止する第３トラップ回路(5a)が介在し、該第３トラップ回路(5a)はインダクタとコンデンサから構成され、該インダクタとコンデンサの内、何れか一方の受動素子が、前記第２ダイオードスイッチ(38)と前記第２端子(23)との間に介在し、該一方の受動素子と第２ダイオードスイッチ(38)との間の接続線路に他方の受動素子の一端が接続されると共に、他端が接地されている。
【手続補正６】
【補正対象書類名】明細書
【補正対象項目名】００２３
【補正方法】変更
【補正の内容】
【００２３】
他の具体的構成において、前記送信ライン(30b)には、第２ダイオードスイッチ(38)が直列に介在する一方、前記受信ライン(30a)には、前記第１の周波数帯域の送信信号の波長の４分の１の長さに相当するマイクロストリップライン(36)が直列に介在し、該マイクロストリップライン(36)と受信ライン(30a)の終端の受信側信号端子(33)の間には、前記第３の周波数帯域の信号の通過を阻止する第３トラップ回路(5b)が介在し、該第３トラップ回路(5b)はインダクタとコンデンサとを互いに並列に接続して構成され、該第３トラップ回路(5b)とマイクロストリップライン(36)の間の接続線路に第１ダイオードスイッチ(37)の一端が接続される一方、他端が接地されている。
【手続補正７】
【補正対象書類名】明細書
【補正対象項目名】００２７
【補正方法】変更
【補正の内容】
【００２７】
又、他の具体的構成において、前記送信ライン(30b)には、第２ダイオードスイッチ(38)が直列に介在する一方、前記受信ライン(30a)には、前記第１の周波数帯域の送信信号の波長の４分の１の長さに相当するマイクロストリップライン(36)が直列に介在し、該マイクロストリップライン(36)から受信ライン(30a)の終端の受信側信号端子(33)へ至る接続線路には、前記第３の周波数帯域の信号の通過を阻止する第３トラップ回路(5c)が接続され、該第３トラップ回路(5c)はインダクタとコンデンサを互いに直列に接続して構成され、該第３トラップ回路(5c)の一端が前記マイクロストリップライン(36)から受信ライン(30a)の終端の受信側信号端子(33)へ至る接続線路に接続される一方、他端が接地されており、該第３トラップ回路(5c)とマイクロストリップライン(36)の間の接続線路に第１ダイオードスイッチ(37)の一端が接続される一方、他端が接地されている。
【手続補正８】
【補正対象書類名】明細書
【補正対象項目名】００３１
【補正方法】変更
【補正の内容】
【００３１】
更に他の具体的構成において、前記受信ライン(30a)には、前記第１の周波数帯域の送信信号の波長の４分の１の長さに相当するマイクロストリップライン(36)が直列に介在し、該マイクロストリップライン(36)から受信ライン(30a)の終端の受信側信号端子(33)へ至る接続線路に第１ダイオードスイッチ(37)の一端が接続される一方、他端が接地され、前記送信ライン(30b)には、第２ダイオードスイッチ(38)が直列に介在し、該第２ダイオードスイッチ(38)と前記第２端子(23)との間には、前記第３の周波数帯域の信号の波長の４分の１の長さに相当するマイクロストリップライン(51)が介在し、該マイクロストリップライン(51)により、前記第３の周波数帯域の信号の通過を阻止する第３トラップ回路(5d)が構成されている。
【手続補正９】
【補正対象書類名】明細書
【補正対象項目名】００３７
【補正方法】変更
【補正の内容】
【００３７】
第１実施例
本実施例のアンテナ共用器(１)は、ＬＴＣＣ基板を用いてモジュール化されており、図１に示す如く、ダイプレクサ(２)を介して、低周波帯域のＧＳＭ信号の送受信を行なうための第１送受信回路(３)と、高周波帯域のＤＣＳ及びＷ−ＣＤＭＡの信号の送受信を行なうための第２送受信回路(４)とを並列に接続して構成される。
第１送受信回路(３)は、ＧＳＭの送受信を切り換えるための２つのダイオードスイッチ(37)(38)を有するスイッチング回路(31)と、ＧＳＭの送信回路からの不要な高調波を遮断するためのローパスフィルタ回路(32)とからなり、ＧＳＭの受信回路に受信信号を出力するための受信側信号端子(33)と、ＧＳＭの送信回路からの送信信号が入力されるべき送信側信号端子(34)と、前記２つのダイオードスイッチ(37)(38)のオン／オフを制御するための信号が入力されるべき制御端子(35)とを有している。
【手続補正１０】
【補正対象書類名】明細書
【補正対象項目名】００３８
【補正方法】変更
【補正の内容】
【００３８】
又、第２送受信回路(４)は、ＤＣＳ及びＷ−ＣＤＭＡの信号の送受信を切り換えるための２つのダイオードスイッチ(47)(48)を有するスイッチング回路(41)と、ＤＣＳ及びＷ−ＣＤＭＡの信号送信回路からの不要な高調波を遮断するためのローパスフィルタ回路(42)とからなり、ＤＣＳ及びＷ−ＣＤＭＡの信号受信回路に受信信号を出力するための受信側信号端子(43)と、前記送信回路からの送信信号が入力されるべき送信側信号端子(44)と、前記２つのダイオードスイッチ(47)(48)のオン／オフを制御するための信号が入力されるべき制御端子(45)とを有している。
【手続補正１１】
【補正対象書類名】明細書
【補正対象項目名】００４５
【補正方法】変更
【補正の内容】
【００４５】
第１送受信回路(３)の第１及び第２ダイオードスイッチ(37)(38)は、ＤＣＳ及びＷ−ＣＤＭＡの送受信時においてもオフに設定される。この場合、ＤＣＳの送受信帯域に周波数を有する信号は、図２に示すダイプレクサ(２)の第１トラップ回路によってブロックされると共に、Ｗ−ＣＤＭＡの送受信帯域に周波数を有する信号は、図２及び３に示す第３トラップ回路(５a)によってブロックされる。この結果、ＤＣＳ及びＷ−ＣＤＭＡの高周波帯域の信号の第１送受信回路(３)への回り込みが阻止される。
【手続補正１２】
【補正対象書類名】明細書
【補正対象項目名】００５５
【補正方法】変更
【補正の内容】
【００５５】
図８は、本実施例の第１送受信回路(３)の構成を図１に示すローパスフィルタ回路(32)を省略して示すものである。
受信ライン(30a)には、ＧＳＭの送受信信号の波長の４分の１の長さに相当するマイクロストリップライン(36)が直列に介在し、該マイクロストリップライン(36)と受信側信号端子(33)との間の接続線路に第１ダイオードスイッチ(37)の一端が接続されると共に、他端が接地されている。又、マイクロストリップライン(36)と受信側信号端子(33)との間の接続線路に第３トラップ回路(5c)の一端が接続されると共に、他端が接地されている。該第３トラップ回路(5c)は、インダクタＬ４１とコンデンサＣ４１からなる直列共振回路によって構成され、Ｗ−ＣＤＭＡの送受信帯域内の周波数ｆ３に共振周波数を有している。
一方、送信ライン(30b)には、第２ダイオードスイッチ(38)が介在している。
【手続補正１３】
【補正対象書類名】明細書
【補正対象項目名】００６８
【補正方法】変更
【補正の内容】
【００６８】
図１４は、図１に示す本発明の第１実施例のアンテナ共用器(１)の信号通過特性、及び図１７に示す従来のデュアルバンドタイプのアンテナ共用器(６)の信号通過特性のシミュレーション結果を示すグラフである。又、図１５は、図１４の縦軸の０ｄｂ〜−３ｄｂの範囲を拡大して示すグラフである。
本発明の第１実施例のアンテナ共用器(１)においては、図２に示す第３トラップ回路(5a)を第１送受信回路(３)側に追加することによって、図１４に示す如く、Ｗ−ＣＤＭＡの送受信帯域内の周波数ｆ３に新たな減衰極が追加されていることがわかる。これにより、ＧＳＭ信号の受信時、或いはＤＣＳ及びＷ−ＣＤＭＡの送受信時には、Ｗ−ＣＤＭＡの送受信帯域に周波数を有する信号の第１送受信回路(３)側への回り込みが阻止される。そのため、図１５に示す如く、Ｗ−ＣＤＭＡ信号帯域での損失を従来に比べて削減することができる。
【手続補正１４】
【補正対象書類名】明細書
【補正対象項目名】００６９
【補正方法】変更
【補正の内容】
【００６９】
一方、ＧＳＭ信号の送信時には、図２に示す第３トラップ回路(5a)のトラップ回路としての機能が消滅するので、該第３トラップ回路(5a)がＧＳＭの送受信帯域に周波数を有する信号を減衰させることがない。又、第３トラップ回路(5a)を構成するインダクタＬ２１のインダクタンスとコンデンサＣ２１の静電容量との積を一定に保ちつつ、インダクタＬ２１とコンデンサＣ２１の組み合わせを適宜選択することにより、ＧＳＭ信号の送受信帯域に周波数を有する信号に生じる損失を削減することが出来る。